(57)【要約】【目的】移動無線通信機端末間において比較的簡単な構成で、しかも種々の通信方式に採用可能な、必要最小限の送信電力に迅速に設定することができる送信電力制御機能を備えた無線通信機を提供する。【構成】一方の無線通信機から高レベルの送信電力にて接続要求信号を送信し、受信側では、着信電界強度を予め設定した閾値と比較し、閾値以下の場合にのみ接続応答信号を返信する。送信側では、接続応答信号を検出した場合に送信電力を低減するが、接続応答信号を検出しない場合は、高レベルを維持して通信モードに移行する。【選択図】図１
2010135887.tif 000002
【特許請求の範囲】
【請求項１】
送信ユニットと受信ユニットを備えた無線通信機において、
前記受信ユニットは、他の無線通信機から送信される接続要求信号を検出する接続要求信号検出手段と、前記接続要求信号を含む受信信号の電界強度を検出する受信電界レベル検出手段と、前記検出した受信電界レベル値を、予め設定した受信電界レベル閾値と比較する受信電界レベル比較手段と、受信電界レベル比較手段による比較の結果、受信電界レベルが閾値以下の場合、前記送信ユニットに接続応答信号の送信を指示する接続応答信号指示手段と、前記送信ユニットから送信される接続要求信号に応答して他の無線通信機から返送される接続応答信号を検出するとともに、接続応答信号検出情報を前記送信ユニットに供給する接続応答信号検出手段と、を含み、
前記送信ユニットは、送信電力を少なくとも二つの高低レベルに切替える送信電力切替手段と、通信開始時に高レベルの送信電力により接続要求信号を送信し、所定時間内に前記受信ユニットの接続応答信号検出手段から接続応答信号検出情報を受けた場合は送信電力を高レベルに維持し、所定時間以内に接続応答信号検出情報を受けなかった場合は送信電力を低レベルに切替える送信電力制御手段と、前記受信ユニットから接続応答信号指示を受けた際、接続応答信号を送信する手段と、を備えたことを特徴とする送信電力制御機能を備えた無線通信機。
【請求項２】
請求項１記載の無線通信機において、前記送信ユニットは送信電力レベルを３段階以上切替える手段を備え、通信開始時に送信する前記接続要求信号に応答して他の無線通信機から返送される接続応答信号が検出されるまで、順次、送信電力レベルを減少方向に切替えて、接続要求信号を送信する手段を備えたことを特徴とする送信電力制御機能を備えた無線通信機。
【請求項３】
請求項１又は２記載の無線通信機において、前記受信電界レベル検出手段はＲＳＳＩ検出手段又は同様に通信品質に応じた信号の検出手段であることを特徴とする送信電力制御機能を備えた無線通信機。
【請求項４】
請求項１乃至３の何れか一項記載の無線通信機において、一以上の特定の無線通信機を選択的に呼出す機能を備えたものであって、選択的に呼出された無線通信機との間において、前記接続要求信号及び接続応答信号の授受を行うように構成したことを特徴とする送信電力制御機能を備えた無線通信機。
【発明の詳細な説明】
【技術分野】
【０００１】
本発明は、送信電力制御機能を備えた無線通信機に関し、詳細には、簡単な処理によって適切な送信電力に切替可能な送信電力制御機能を備えた無線通信機に関する。
【背景技術】
【０００２】
移動通信システムにおいては、必要最小限の送信電力に制御する手段が、限りあるチャネル周波数を有効利用する上で極めて重要である。特に、同一通信システムを多数の無線通信機で共用する場合は、一部の無線通信機が大きな送信電力で通信を行うと、近隣の他の無線通信機間の通信が妨害されると云う遠近問題が生じる。また、必要以上の送信電力での通信は、バッテリィの使用時間を短縮することにもなる。そこで従来から、必要最小限の送信電力に制御するための手段が種々講じられている。
【０００３】
例えば図７は、特許文献１に示された送信電力処理の概要を示すフローチャートである。このシステムの無線通信機は、送信電力を低レベルの「ＬＯＷ」と高レベルの「Ｈｉｇｈ」の二つに切替える機能と、接続要求信号を送信する機能、及び相手方から送信された接続要求信号に対し、接続応答信号を返信する機能を備えている。このような機能を備えた無線通信機の一方から、通信を開始する前に低レベル「ＬＯＷ」の送信電力によって通信相手方に接続要求信号を送信し（Ｓ１０１）、通信相手の無線通信機からの接続応答信号の返信の有無を判断する（Ｓ１０２）。この判断において、接続応答信号が検出されれば（Ｓ１０２、Ｙｅｓ）、送信出力を「ＬＯＷ」に維持するよう設定した状態で（Ｓ１０３）、通信を開始する（Ｓ１０４）。一方、処理Ｓ１０２において、相手方から接続応答信号が届かない場合は（Ｓ１０２、Ｎｏ）、送信出力レベルを高「Ｈｉｇｈ」に切替え（Ｓ１０５）、再度、接続要求信号を送信し（Ｓ１０６）、通信相手の無線通信機からの接続応答信号の返信の有無を判断する（Ｓ１０７）。この判断において、接続応答信号が検出されれば（Ｓ１０７、Ｙｅｓ）、送信出力を「Ｈｉｇｈ」に維持するよう設定した状態で、通信を開始する（Ｓ１０８）。なお、処理Ｓ１０７において相手方から接続応答信号が届かない場合は（Ｓ１０７、Ｎｏ）、通信処理を終了して電源を遮断する（Ｓ１０９）。この方法によれば、低レベルの送信電力により通信可能な場合に、必要のない高レベル送信をすることを回避することが可能である。
【０００４】
また、図８は、特許文献２に記載された方法の概要を示す図である。この例における無線通信機は、高（「Ｈｉｇｈ」）、低（「ＬＯＷ」）二つの送信電力に切替える機能、所定の検出信号を受信した場合、自己の固有ＩＤを付した応答信号を返信する機能、及び応答信号を記憶するメモリを備えている。この方法は図８に示したように、発信側無線通信機から先ず、低レベル電力（「ＬＯＷ」）で通信を要求するための検出信号を送信する（Ｓ１１０）。この信号を受信出来た無線通信機は、自局の固有ＩＤ（識別番号）を付した応答信号を返信し、発信側無線通信機はこれらの応答信号を復調して、記憶装置にメモリする（Ｓ１１１、２００乃至２０２）。次に、発信側無線通信機は、送信電力を高レベル（「Ｈｉｇｈ」）に切替え、同様に検出信号を送信し（Ｓ１１２）、返信される応答信号と固有ＩＤ情報を２０３乃至２０５のリストとして記憶するとともに（Ｓ１１３）、記憶した応答信号のリストに基づいて、各無線通信機との間の通信状態を判断する（Ｓ１１４）。この例では、Ｎｏ．００１乃至Ｎｏ．００３の３台の無線通信機からの応答信号の有無をリストとして記憶しており、高（「Ｈｉｇｈ」）低（「ＬＯＷ」）夫々の送信電力に対する通信の可否結果に基づいて、適切な通信相手が何れであるかを判断することができる。
【０００５】
また、特許文献３には、図９に示すように、親機２０６は子機２０７、２０８からの受信信号（音声による通話信号）について受信状態を表す信号を検出し、予め設定した閾値と比較した結果に基づいて、子機側に送信電力を制御する信号を送信するものが提案されている。
図１０はその制御例を示すフロ−チャートであり、親機２０６の処理は、図１０（ａ）に示すように、子機からの受信信号についてＲＳＳＩ（Received Signal Strength）を求め（Ｓ１２０）、そのレベルと予め設定した閾値とを比較し（Ｓ１２１）、その大小関係に応じて送信電力を増減するための制御信号を子機に送信する（Ｓ１２２）。子機では、図１０（ｂ）に示すように、通信に先立って、親機２０６に音声により変調した信号を送信し（Ｓ１３０）、上述したように親機から返信される制御信号を受信して（Ｓ１３１）、その制御信号に従って子機の送信電力値を設定する（Ｓ１３２）。つまり、子機から送信される電波の電界強度を示す信号（ＲＳＳＩ）を検出し、その値が、規定値より大きい場合は、送信電力を減少するように、また、閾値より小さい場合は、送信電力を増加するように指示することによって、適切な送信電力になるように制御するものである。
【特許文献１】特開平８-２６５２５２号公報
【特許文献２】特開２００４-２０１１５６公報
【特許文献３】特開平７-７９４８４号公報
【発明の開示】
【発明が解決しようとする課題】
【０００６】
しかしながら、上述した従来の送信電力制御方法では、夫々以下のような不具合があった。
特許文献１記載の方法では、低レベルでの接続要求信号に対して少なくとも一つの無線通信機から接続応答信号があると、そのことによって送信電力が低レベルに決定されるので、遠方に位置する他の無線通信機との通信が不可能となる可能性が高くなる。従って、広い範囲に分布する複数の無線通信機を対象に情報を伝達する場合においては、必ずしも適切な方法とは言い難いものであった。
また、特許文献２記載の方法では、通信相手からの応答が無い場合にも情報として記憶する必要があるので、通信相手が予め分かっていることが条件であり、多数の無線通信機との通信には不向きであり、更に、定期的に通信経路確立のために複雑な処理を繰返す場合には、その間の通信が不可能になり、また、消費電力の増加を伴う欠点があった。
特許文献３記載の方法では、コードレス電話のように同時送受信通信システムにおいて、通話中に、子機又は親機の一方から返信される電力制御信号に基づいて自局の送信電力を増減するものであり、子機間において相互通信によって送信電力を適正に制御することは不可能である。仮に、各子機に、親機と同様の機能を備えた場合であっても、単信（シンプレックス）方式では成り立たないシステムであった。
本発明は、従来の送信電力制御機能を備えた無線通信機の諸事情に鑑みてなされたものであって、種々の通信方式に採用可能であって、しかも比較的簡単な構成で、迅速に適切な送信電力制御を可能にした送信電力制御機能を備えた無線通信機を提供することを目的としている。
【課題を解決するための手段】
【０００７】
本発明はこのような課題を解決するために、請求項１記載の発明は、送信ユニットと受信ユニットを備えた無線通信機において、上記受信ユニットは、他の無線通信機から送信される接続要求信号を検出する接続要求信号検出手段と、上記接続要求信号を含む受信信号の電界強度を検出する受信電界レベル検出手段と、この検出した受信電界レベル値を、予め設定した受信電界レベル閾値と比較する受信電界レベル比較手段と、受信電界レベル比較手段による比較の結果、受信電界レベルが閾値以下の場合、送信ユニットに接続応答信号の送信を指示する接続応答信号指示手段と、送信ユニットから送信される接続要求信号に応答して他の無線通信機から返送される接続応答信号を検出するとともに、接続応答信号検出情報を前記送信ユニットに供給する接続応答信号検出手段と、を含み、上記送信ユニットは、送信電力を少なくとも二つの高低レベルに切替える送信電力切替手段と、通信開始時に高レベルの送信電力により接続要求信号を送信し、所定時間内に前記受信ユニットの接続応答信号検出手段から接続応答信号検出情報を受けた場合は送信電力を高レベルに維持し、所定時間以内に接続応答信号検出情報を受けなかった場合は送信電力を低レベルに切替える送信電力制御手段と、上記受信ユニットから接続応答信号指示を受けた際、接続応答信号を送信する手段と、を備えたことを特徴とする。
【０００８】
請求項２記載の発明は、請求項１記載の送信電力制御機能を備えた無線通信機において、上記送信ユニットは送信電力レベルを３段階以上切替える手段を備え、通信開始時に送信する接続要求信号に応答して他の無線通信機から返送される接続応答信号が検出されるまで、順次、送信電力レベルを減少方向に切替えて、接続要求信号を送信する手段を備えたことを特徴としている。
請求項３記載の発明は、請求項１又は２記載の送信電力制御機能を備えた無線通信機において、上記受信電界レベル検出手段はＲＳＳＩ検出手段又は同様に通信品質に応じた信号の検出手段であることを特徴とする。
請求項４記載の発明は、請求項１乃至３の何れか一項記載の送信電力制御機能を備えた無線通信機において、一以上の特定の無線通信機を選択的に呼出す機能を備え、選択的に呼出された無線通信機との間において、上記接続要求信号及び接続応答信号の授受を行うように構成したことを特徴とする。
【発明の効果】
【０００９】
本発明は通信開始時等に、送信側から高レベルの送信電力で接続要求信号を送信し、受信側では、この接続要求信号を検出した際、その信号の電界強度レベル、もしくは同様に通信品質を現す信号を検出し、そのレベルが閾値以下の場合に接続応答信号を返送するように構成したものであり、送信側では、接続応答信号が返信された場合に、送信電力を高レベルに維持して、通信を開始する。また、接続応答信号が返信されない場合には、送信電力レベルを低いレベルに切替えて、接続要求信号を送信して、接続応答信号の有無を検出するものである。この方法によれば、例えば、想定した通信範囲の一番遠方に位置する無線通信機との通信が確保可能な送信電力値を送信電力の最大レベルとし、それに対する着信電界強度を閾値として設定すれば、最大送信電力での接続要求信号に対して、近い距離に位置する無線通信機から接続応答信号の返信がなされないことになる。従って、近距離にのみ通信相手が位置する場合は、低レベル送信電力での通信に制御され、遠方に通信相手が位置する場合は、高レベル送信電力に制御されるので、複雑な回路や装置を付加することなく、迅速に必要最小限の送信電力による通信が可能になる。
【発明を実施するための最良の形態】
【００１０】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。また既に説明したものと同一部分ならびに同一事項には同一符号、番号を付し、重複する説明は省略する。
図１は、本発明に係る送信電力制御機能を備えた無線通信機の概要構成を示すブロック図である。この例に示す無線通信機１は、送信部２と、受信部３と、無線通信機の通常の制御の他に、以下に説明する制御を行う制御部４と、送信部２の出力信号をアンテナ５に伝達し、且つ、アンテナ５に着信する信号を受信部３へ伝達する切替スイッチ（ＳＷ）６と、受信部３から出力される復調信号を音声に変換するスピーカ７と、本発明を実施する上で機能する記憶部８及び比較器９と、アナログ／デジタル変換器（Ａ／Ｄ変換）１０と、を備えている。この構成のうち、記憶部８には、通信相手方からの受信電界強度（ＲＳＳＩ）値と比較するための閾値が記憶されている。
更に、上記比較器９は、記憶部８に格納されている閾値と、受信部３から出力される受信電界強度（ＲＳＳＩ）の値とを比較するもので、アナログ／デジタル変換器（Ａ／Ｄ変換）１０は、その比較のために受信部３から出力されるＲＳＳＩ信号をデジタル信号に変換して、比較器９に供給するものである。
なお、ＲＳＳＩ（Received Signal Strength）は、受信電界強度に比例した直流電圧信号として検出されるように構成されたものが一般的であり、回路の電源電圧や受信部の性能によって一定値の電界強度以上では飽和したものとなる（図４参照）。
【００１１】
この構成において特徴的な点について送信部と受信部に分けて説明すると以下のとおりである。なお、以下「受信ユニット」、「送信ユニット」と表記する場合、図１に示した受信部３、送信部２に限らず、図示を省略したＣＰＵや周辺メモリに記憶した制御プログラムやデータ、他のブロックとの協働によって達成される機能を含めたものとして説明している。
先ず、受信部３を含む受信ユニットは、他の無線通信機から送信される接続要求信号を検出する接続要求信号検出手段と、この接続要求信号を含む相手方からの受信信号の電界強度（ＲＳＳＩ）を検出する受信電界レベル検出手段とを備え、検出した受信電界レベル値を、上述したとおり記憶部８に格納してあるＲＳＳＩの閾値と比較するとともに、受信電界レベルが閾値以下の場合、即ち、電界強度が閾値より小さい場合、上記送信ユニットに接続応答信号の送信を指示するように構成されている。また、通信開始に先立って、自局の送信部２から送信された要求信号に応答して他の無線通信機から返送される接続応答信号を検出した際、接続応答があった旨を示す接続応答信号検出情報を、制御部４を介して送信ユニット、又は送信部を制御する制御部４に供給するように構成されている。
また、上記送信ユニットは、送信電力を少なくとも二つの高低レベルに切替える送信電力切替手段と、通信開始時に高レベルの送信電力により接続要求信号を送信し、所定時間内に受信ユニットの接続応答信号検出手段から接続応答信号検出情報を受けた場合は送信電力を高レベルに維持し、所定時間以内に接続応答信号検出情報を受けなかった場合は、送信電力を低レベルに切替える送信電力制御手段を備えている。更に、他の無線通信機から通信開始時に送信される接続要求信号を（受信ユニットが）検出し、その値が閾値以下であると判断したとき、（受信ユニットから供給される）接続応答信号を送信する旨の指示信号を受けた場合、接続応答信号を送信するように構成されている。
【００１２】
このような構成において本発明に係る制御処理の一例を図２、及び図３を用いて説明する。先ず、図２は、本発明に係る無線通信機の、主として送信ユニットの制御の例を示すフローチャートである。先ず、ユーザが送信部に付加した（図示省略）プッシュ・ツー・トーク（ＰＴＴ：Push To Talk）スイッチを押圧すると（Ｓ１）、送信部２から接続要求信号が搬送波に重畳されて送受切り替えスイッチ６とアンテナ５を経て送信される（Ｓ２）。なお、このときの送信電力は、高レベルに設定されている。その後、制御部４の（図示を省略した）タイマ機能がカウントを開始するとともに、制御ユニットにおいて、一定時間内に他の無線通信機から接続応答信号が着信したか否かを判断する（Ｓ３）。この判断の結果、他の無線通信機から接続応答があった場合は（Ｓ３、Ｙｅｓ）、少なくとも、一つの他の無線通信機において、閾値レベル以下の電界強度にて受信が可能であることになるので、送信電力は高レベル状態に維持したまま（Ｓ４）、音声送信モードに移行する（Ｓ５）。
【００１３】
一方、上記処理Ｓ３において、一定時間以内に他の無線通信機から接続応答信号の返信が無かった場合は、他のいずれの無線通信機においても閾値以下の電界強度条件を満たすものが無いものと判断して、送信電力を低レベル（「ＬＯＷ」）に切替えて（Ｓ６）、音声送信モードに移行する（Ｓ５）。つまり、いずれの他の無線通信機からも接続応答信号の返信が検出されない場合は、着信電界強度が閾値を越える程度に、送信電力が大き過ぎる可能性が高いと判断し得るので、そのまま高レベルでの送信を継続すると、他の無線通信機への妨害が発生し、また必要以上の消費電力の増加を伴うので送信電力を低減して通信モードに移行する。
【００１４】
図３は、本発明に係る無線通信機の、主として受信ユニットの制御の例を示すフローチャートである。受信部３は待ち受け状態にあるとき、上述したように他の無線通信機から通信開始時に接続要求信号が送信されるので、その信号を受信した場合（Ｓ１０）、接続要求信号が含まれる信号のＲＳＳＩを検出し、そのレベルを記憶部８に格納した閾値と比較する（Ｓ１１）。この信号の電界強度レベルが閾値を上回っている場合は（Ｓ１１、Ｙｅｓ）、接続応答信号送信の指示を行うことなく、音声受信モードに切替える（Ｓ１２）が、もし閾値以下である場合は（Ｓ１１、Ｎｏ）、接続応答信号を送信する旨の指示を送信部２、又は送信ユニットに供給することによって、送信部２から接続応答信号を、送信電力を高レベル（「Ｈｉｇｈ」）にして送信させた後（Ｓ１３）、音声受信モードに切替える（Ｓ１２）。
【００１５】
このように構成し制御すれば、一度の接続要求信号の送信と所定時間の接続応答信号の待ち受けのみで、過大な送信電力での送信を防止することが可能である。ところで、いずれの他の無線通信機からも接続応答信号の返信が検出されない場合には、接続要求信号を受信できる他の無線通信機が全く存在しない場合が含まれるが、そのことは、その後の音声通信において明らかとなるので、大きな支障とはならない。もし、全く通信可能な他の無線通信機が存在しない場合は、場所を移動して再発呼すればよい。以上の実施例は、例えば、無線ＬＡＮのポートのように点在する複数の固定局の何れか一つと通信できれば目的を達成する場合にも、必要以上の送信電力での送信を防止する上で有用である。
なお、本発明において閾値をどの程度に設定するかが運用上重要なファクターとなるので、図面を用いて説明する。図４は、縦軸をＲＳＳＩの値、横軸をアンテナに入力する電波のレベルとし、直流電圧値（Ｖ）として表したＲＳＳＩとの関係の一例を表示した図であり、前述したように回路の電源電圧や受信部の性能によって一定値の電界強度以上では飽和したものとなる。
この図において、高レベルでの接続要求信号で閾値Ｃの入力レベルとなる場合には低レベルでの送信電力においても十分な通話品質が保たれると仮定する。
その様に仮定した場合においては、閾値ＡのようにＲＳＳＩが大きなレベルに設定し、高レベルでの接続要求信号の入力レベルが閾値Ａ程度だった場合には、低出力レベルでも十分過ぎる入力レベルとなる為、高レベルでの出力となると必要以上の送信電力となってしまう。閾値が高いほど、通話は送信電力が高レベルとなるケースが多くなるため、発明の効果が発揮されにくくなる。
逆に閾値Ｂの様に設定した場合、高出力レベルの接続要求信号が閾値Ｂ程度の入力レベルとなると、低出力レベルの際には十分な通話品質が確保されない状態となる。従って、閾値としては、閾値Ｃのように適切な値を設定する必要がある。
【００１６】
図５は、以上説明した状況を図示したものである。今、図５に示すように携帯型の無線通信機１１乃至１６が点在する状況において、無線通信機１１から接続要求信号（図中の実線矢印）を送信した場合を考える。無線通信機１１から高レベルの送信電力にて送信される電波の着信電界強度ＲＳＳＩの閾値が、距離的にみて破線にて示す曲線１７に該当するものと想定すると、その範囲内に位置する無線通信機１２乃至１４では閾値以上のＲＳＳＩが検出されるので、接続応答信号は返信されない。一方、曲線１７の外側に位置する無線通信機１５、１６では閾値以下のＲＳＳＩとなり、接続応答信号（図中破線矢印）が返信されるので、この信号を受信する無線通信機１１では、その接続応答信号を検出して、送信電力を高レベルに維持するように動作する。
即ち、仮に他の無線通信機が閾値曲線１７の内側にのみ位置する場合は、接続応答信号が返信されず、無線通信機１１は低レベルの送信電力に低減して通信を行うので、近隣の他の通信に与える影響を小さくすることが可能となり、同時に、消費電力を低減することもできる。
【００１７】
本発明は以上説明した実施例に限定することなく種々変形が可能である。
例えば、選択呼び出し機能を備えた無線通信システムに本発明を適用する場合は、選択呼び出しの対象となる無線通信機のみが接続要求信号を検出するとともに、上述した接続応答信号を返信することになるので、目的となる無線通信機が少数となり、それらとの通信に必要な送信電力に制御されるので、より一層発明の効果が顕著となる。
また、本発明において使用する電界強度を示す信号としては、ＲＳＳＩに限らず、他にも着信信号の通信品質を現すものであれば、同様に利用することが出来る。更に、デジタル変調のように誤り訂正を伴う通信の場合、受信側の誤り訂正の復調において得られる誤り率等を、代わりの指標として利用することも可能である。
また、本発明における送信電力切り替えを高低、二つに限定する必要はなく、３段階以上に切替えるものであってもよい。
【００１８】
図６は、送信電力を高レベル、中レベル、低レベルの３段階に切替え可能な場合における制御例を示すフローチャートである。この例では、先ず、ユーザが送信部に付加した（図示省略）プッシュ・ツー・トーク（ＰＴＴ：Push To Talk）スイッチを押圧すると、送信部２から接続要求信号が搬送波に重畳されて送信される（Ｓ２０）。なお、このときの送信電力は、高レベルに設定されている。その後、制御部４の（図示を省略した）タイマ機能がカウントを開始し、一定時間内に他の無線通信機から接続応答信号が着信したか否かを判断する（Ｓ２１）。この判断の結果、他の無線通信機から接続応答がなかった場合は（Ｓ２１、Ｎｏ）送信電力を一段階減少させて中レベルに設定するとともに（Ｓ２２）、再度接続要求信号を送信する。そして上記Ｓ２１と同様に、一定時間内に他の無線通信機から接続応答信号が着信したか否かを判断する（Ｓ２３）。この判断の結果、他の無線通信機から接続応答がなかった場合は（Ｓ２３、Ｎｏ）送信電力を更に一段階減少させて、低レベルに設定するとともに（Ｓ２４）、それ以上に送信電力を減少できないので、低レベルの状態で音声送信モードに移行する（Ｓ２５）。
【００１９】
一方、上記処理Ｓ２１、及び処理Ｓ２３において、他の無線通信機から接続応答信号が返信された場合は、その時の送信レベルが適したものとなる無線通信機が存在することになるので、夫々の送信電力を維持した状態で（Ｓ２６、Ｓ２７）音声送信モードに移行する（Ｓ２５）。
このように３つ以上の段階に送信電力を切替えれば、更に、必要最小限の送信電力による通信制御が可能となる。この場合であっても、受信側の閾値設定や制御は、図３に示す場合とほぼ同様なものでよい。
なお、上述した特許文献１乃至３には、送信電力制御に関する手段が開示されているので本発明の実施に際して、それらを参照し、又は併用することができる。また、以上説明した本発明の無線通信機に関わる種々の制御方法を、コンピュータが制御可能なＯＳに基づいてプログラミングすれば、そのＯＳを備えたコンピュータによって同じ処理方法により制御することができる。近年、無線通信機では、コンピュータやＤＳＰ等のデジタル処理回路を利用しているので、本発明の方法をプログラムやデータとしてメモリに収納すれば、それらの機能を一部利用して本発明を実施することが可能となる。
【図面の簡単な説明】
【００２０】
【図１】本発明の無線通信機の一実施例を示すブロック図。
【図２】本発明の無線通信機の送信側の制御例を示すフローチャート。
【図３】本発明の無線通信機の受信側の制御例を示すフローチャート。
【図４】本発明の無線通信機の閾値の例を示すＲＳＳＩ特性図。
【図５】本発明の無線通信機の制御例を説明するためのシステム概要図。
【図６】本発明の無線通信機の送信側の他の制御例を示すフローチャート。
【図７】従来の送信電力制御例を示すフローチャート。
【図８】従来の他の送信電力制御例を示すフローチャート。
【図９】従来の他の送信電力制御例を示すブロック図。
【図１０】従来の送信電力制御例を示すフローチャートで、（ａ）は親機のフローチャート、（ｂ）は子機のフローチャート。
【符号の説明】
【００２１】
１、１１乃至１６  無線通信機、２  送信部、３  受信部、４  制御部、５  アンテナ、６  送受切替スイッチ、７  スピーカ、８  記憶部、９  比較器、１０  アナログ／デジタル変換器
【図１】
2010135887.tif 000003
【図２】
2010135887.tif 000004
【図３】
2010135887.tif 000005
【図４】
2010135887.tif 000006
【図５】
2010135887.tif 000007
【図６】
2010135887.tif 000008
【図７】
2010135887.tif 000009
【図８】
2010135887.tif 000010
【図９】
2010135887.tif 000011
【図１０】
2010135887.tif 000012